(57)【要約】      （修正有）【課題】より省スペースに折り畳みが可能で、より簡便に折り畳みができるゴミ収集箱を提供する。【解決手段】網及び前記網を巻き取る軸２２が設けられた背面板２と、背面板に接続され、回転して開閉可能な一対の側面板３１，３２とを有するゴミ収集箱１とする。この場合において、一対の側面板は、先端側にいくに従い低くなる傾斜部３１４，３２４と、切り取られた先端部と、を有することが好ましい。また、背面板に、軸の上に配置される軸用上板と、軸を貫通させかつ軸の両端近傍に配置される一対の軸用側板とが設けられ、更に、軸の前面に配置される軸用前板２５１が設けられ、傾斜部の傾斜は、軸用前板よりも背面板側において始まることが好ましい。【選択図】図１
0003154167.tif 000002
【実用新案登録請求の範囲】
【請求項１】
網及び前記網を巻き取る軸が設けられた背面板と、
前記背面板に接続され、回転して開閉可能な一対の側面板と、を有するゴミ収集箱。
【請求項２】
前面一対の側面板は、先端側にいくに従い低くなる傾斜部と、切り取られた先端部と、を有する請求項１記載のゴミ収集箱。
【請求項３】
前記背面板に、前記軸の上に配置される軸用上板と、前記軸を貫通させかつ前記軸の両端近傍に配置される一対の軸用側板と、が設けられ、更に、前記軸の前面に配置される軸用前板が設けられ、
前記傾斜部の傾斜は、前記軸用前板よりも前記背面板側においてはじまる請求項１記載のゴミ収集箱。
【請求項４】
前記一対の側面板は、前記軸の両端より内側において回転して開閉可能となっている請求項１記載のゴミ収集箱。
【請求項５】
前記背面板には、前記側板の開閉角度を制御する一対の開閉制御部材が配置され、
前記開閉制御部材及び前記側面板の少なくともいずれかに磁石が配置されてなる請求項１記載のゴミ収集箱。
【考案の詳細な説明】
【技術分野】
【０００１】
本考案は、ゴミ収集箱に関し、より詳細には、折り畳み可能なごみ収集箱に関する。
【背景技術】
【０００２】
日常生活において生じる家庭ごみは、一般に、住宅近隣の定められた場所に定められた曜日に集められ、ゴミ収集車によって回収される。この際、カラスや猫等によるゴミの散乱を防止する観点を主として、ゴミ収集ネットやゴミ収集箱を設置する場合が多い。
【０００３】
ゴミ収集ネットは、集められた複数のごみ袋全体を覆うように配置するだけで済むため簡便である一方、カラス等が簡単に中のゴミをあさってしまうのを許してしまう場合が多く、また、ゴミを雑然と置くことを許容せざるをえず、課題も多い。
【０００４】
一方で、ゴミ収集箱は、背面板、側面板、蓋を有しているのが一般的であり、このようにすることで、カラス等がゴミをあさってしまうのを防止し、景観悪化防止、ゴミ収集、分別の効率向上を図ることができるといった利点がある。
【０００５】
なお、ゴミ収集箱に関する公知の技術として、たとえば、下記特許文献１には、背面枠の支柱を地中に固定し、前面枠の支柱を背面枠に回動枠で接続することで、折りたたみが可能な式ゴミ箱に関する技術が開示されている。
【０００６】
【特許文献１】特開２００７−１５８５６号公報
【考案の開示】
【考案が解決しようとする課題】
【０００７】
しかしながら、上記実用新案登録文献１に記載の技術では、広げる際及び折りたたむ際に前面枠を上下に大きく動かさなければならず、また構造が複雑になるといった課題がある。
【０００８】
そこで、本考案は、上記課題を鑑み、より省スペースに折り畳みが可能で、より簡便に折り畳みができるごみ収集箱を提供することを目的とする。
【課題を解決するための手段】
【０００９】
上記課題を解決するため本考案の一観点に係るゴミ収集箱は、網及びこの網を巻き取る軸が設けられた背面板と、背面板に接続され、回転して開閉可能な一対の側板と、を有する。
【００１０】
なおこの観点において、限定されるわけではないが、一対の側面板は、先端側にいくに従い低くなる傾斜部と、切り取られた先端部と、を有することが好ましい。
【００１１】
またこの観点において、限定されるわけではないが、背面板に、軸の上に配置される軸用上板と、軸を貫通させかつ軸の両端近傍に配置される一対の軸用側板と、が設けられ、更に、軸用上板及び軸用側板のいずれかに固定されかつ軸の前面に配置される軸用前板が設けられ、傾斜部の傾斜は、軸用前板よりも背面板側においてはじまっていることが好ましい。
【００１２】
またこの観点において、一対の側板は、軸の両端より内側において回転して開閉可能となっていることも好ましい。
【００１３】
またこの観点において、背面板には、側板の開閉角度を制御する一対の開閉制御部材が配置され、開閉制御部材及び側板のそれぞれに配置され、かつ引き合う一対の磁石と、を有することも好ましい。
【考案の効果】
【００１４】
以上、本考案により、より省スペースに折り畳みが可能で、より簡便に折り畳みができるゴミ収集箱を提供することができる。
【図面の簡単な説明】
【００１５】
【図１】実施形態に係るごみ収集箱を折り畳んだ状態における正面図である。
【図２】実施形態に係るゴミ収集箱を折り畳んだ状態における平面図である。
【図３】実施形態に係るゴミ収集箱を折り畳んだ状態における左側面図である。
【図４】実施形態に係るゴミ収集箱を折り畳んだ状態における右側面図である。
【図５】実施形態に係るゴミ収集箱を折り畳んだ状態における背面図である。
【図６】実施形態に係るゴミ収集箱を折り畳んだ状態における底面図である。
【図７】実施形態に係るごみ収集箱を広げた状態における正面図である。
【図８】実施形態に係るゴミ収集箱を広げた状態における平面図である。
【図９】実施形態に係るゴミ収集箱を広げた状態における左側面図である。
【図１０】実施形態に係るゴミ収集箱を広げた状態における右側面図である。
【図１１】実施形態に係るゴミ収集箱を広げた状態における背面図である。
【図１２】実施形態に係るゴミ収集箱を広げた状態における底面図である。
【図１３】ゴミ収集箱に掲示板を設置した状態における正面図である。
【図１４】ゴミ収集箱に掲示板を設置した状態における左側面図である。
【考案を実施するための最良の形態】
【００１６】
以下、本考案の実施の形態について、図面を用いて詳細に説明する。ただし、本考案は多くの異なる形態による実施が可能であり、以下に示す実施形態、実施例の例示に狭く限定されるものではない。
【００１７】
図１乃至６は、本実施形態に係るゴミ収集箱（以下「本ゴミ収集箱」という。）１を畳んだ状態の六面図（正面、平面、左側面、右側面、背面、底面の各図）を示す。また図７乃至１２は、本ゴミ収集箱１を広げた状態における六面図（正面、平面、左側面、右側面、背面、底面の各図）を示す。
【００１８】
これらの図で示されるよう、本実施形態に係るゴミ収集箱１は、網２１及びこの網２１を巻き取る軸２２が設けられた背面板２と、背面板２に接続され、回転して開閉可能な一対の側板３１、３２と、を有する。
【００１９】
本実施形態において、背面板２は、ゴミ収集箱１の仕切りを構成する部材の一つである。本背面板２は、地面固定部２３を有し、地面に固定される。背面板２は、カラス等のくちばしが入らない程度のものであれば限定されず、金属枠と、この枠内に張られる金属網で構成してもよく、平板で構成されていてもよい。特に平板の場合、不透明な金属板とすることは、カラス等がゴミの存在を認識できず、また、背面に住宅の囲い等が存在する場合に、当該囲いを汚すことが無い点において、より好ましい。なお、金属板を採用する場合、ガルバニウム鋼板であることは好ましい一例である。
【００２０】
また、背面板２には上記のとおり網２１及び網２１を巻き取る軸２２が設けられている。網２１は、ゴミ収集箱を使用しない場合においては軸２２に巻き取られており、ゴミ収集箱を開き、ゴミを収集する際には、軸２２から広げられ、ゴミの上に配置される。なお、軸２２には、網２１の巻取りを容易にするため、ハンドル２４が設けられていることが好ましい。このようにすることで、ゴミ収集箱を広げた状態においてゴミを多いカラス等の侵入を防ぐよう一対の側面板と背面板により形成される領域の上に被せることができ、景観悪化防止、ゴミ収集、分別の効率向上を図ることができるようになる。なお、ハンドル２４は、ピン２４１を介して軸の左右いずれにおいても接続できるよう構成されていることが好ましい。
【００２１】
また本実施形態において、限定されるわけではないが、軸２２の周囲には、軸２２の前面に配置される軸用前板２５１と、軸の上部に配置される軸用上板２５２と、軸の両端側に配置される軸用側板２５３、２５４と、を有していることが好ましい。このようにすることで、網を巻き取った場合に網を隠し美観を確保するとともに、風雨等から網を保護できるといった効果がある。特に、軸用前板２５１には例えば広告を配置することが可能であり、広告を配置することで製作費用に当てる等のコストダウンが可能であるといった効果がある。
【００２２】
また背面板には、種々の情報の掲示を行なうための掲示板６が配置されていることも好ましい。この状態の正面図及び左側面図を図１３、１４に示しておく。このようにすることで、近隣住民の情報交換の場として使用することができ、かつ、遠くから出会っても視認するための目印とすることができる。更に、掲示板に広告を掲示して広告料を徴収することで広告収入費を本ゴミ収集箱の購入費の一部に当てることが可能となる。なお、掲示板の材質としては、特に限定されるわけではないが、画鋲等で情報が記載されたチラシ等を留めることができるよう、木材で構成されていることは好ましい一例である。なお掲示板３の上部には、庇６１が配置されていることが好ましい。
【００２３】
本実施形態において一対の側面板３１、３２は、背面板２と回転可能に接続されている。側面板３１、３２は、地面に対して略平行（水平）な面上を回転可能となっていることが好ましい。背面板２と側面板３１、３２を接続する部材３１１、３２１は、上記の限り限定されるわけではないが、ヒンジや、軸部材とこの軸部材を収納する受部材との組合せを用いてもよい。また側面板３１、３２は、平板を用いることも可能であるが、例えば金属の枠３１２、３２２と、この枠内、好ましくは内側において張られた金属網３１３、３２３、好ましくはエキスパンドメタルからなることが好ましい。エキスパンドメタルの場合、穴の形状は略ひし形であることが好ましく、この一辺の長さとして５ｍｍ以上１２ｍｍ以下、好ましくは１０ｍｍ以下であることが好ましい。５ｍｍ以上とすることで通気性及び透過性を確保することができる一方で１２ｍｍ以下とすることで、カラスによる害を防ぐとともに、子供の指の誤挿入を防ぐことができるといった効果がある。なおここで「内側」とは、一対の側面板を開いた場合に、一対の側面板が対抗する面側をいう。金属枠（例えばアングル）の内側に金属網を配置することで、網を広げた後網を巻き取る際、網が金属網に引っかかってしまうことを防止することができるようになる。
【００２４】
また、一対の側面板３１、３２のそれぞれは、広げた状態において、先端側にいくに従い低くなる傾斜部３１４、３２４を有していることが好ましい。ここで「先端側」とは、側面板を開いた場合に、背面板から離れる側をいう。このようにすることで、網を広げる際、網が側面板の上に乗って滑り降りることとなるため、網が広げやすくなるといった効果がある。なお、側面板の形状としては、傾斜を有している限りにおいて限定されず、例えば、平行な一対の辺を設置面に対し略垂直な方向に配置する台形状であってもよく、直角三角形状であってもよい。また、本実施形態において、傾斜部の傾斜は、側面板を広げた状態において、軸用前板２５１よりも背面板２側においてはじまっていることが好ましく、より好ましくは、軸用前板２５１と軸２２との間の位置から始まっていることである。このようにすることで、網を広げる際、網の下端が常に傾斜部の上からはじまることとなるため、網を広げる手間を省くことができると行った効果がある。
【００２５】
また、一対の側面板３１、３２のそれぞれの下先端３１５、３２５は、切り取られた形状となっていることが好ましい。このようにすることで網を巻き取る際、側面板の下側に網が引っかからなくなるといった効果があり、ゴミ収集箱の使用者（以下「使用者」という。）がより使用しやすくなるといった利点がある。なおこの場合において、切り取られた形状としては、複数の直線により切り取られた形状であることも好ましいが、図１等で示すように曲線により切り取られた形状であることが好ましく、より好ましくは円弧形状である。また、一対の側面板３１、３２の上先端３１６、３２６においても同様である。
【００２６】
また、一対の側面板の先端部近傍の内側には磁石４１、４２が配置され、かつ、折り畳んだ状態において、当該先端部近傍が配置される位置近傍に、この磁石４１、４２と引き合う磁石４３、４４が配置されていることも好ましい。このようにすることで、折り畳んだ際、側面板が自然に開いてしまうことを防止することができるとともに、特に自然な開閉を防止する手段として磁石のみとすることで先端部にフランス落し等の引っかかる部材を配置する必要がなくなり、側面板を広げた場合であって広げた網を巻き取る際、網が引っかかってしまうといったおそれを極力抑えることができる。
【００２７】
また本実施形態において、側面板３１、３２は、軸の両端よりも内側において配置され、かつ回転開閉可能となっていることが好ましい。ここで「軸の両端よりも内側」とは、軸の両端の間という意味である。このようにすることで、網を広げた際、網が一対の側面の内側に落ちてしまうことを防止し、側面板及び背面板で囲われる領域を網に十分覆わせることができるといった効果がある。なおこの場合において限定されるわけではないが、例えばそれぞれの側面板の回転軸は、軸用側板よりもそれぞれ１０ｃｍ以上内側にあることが好ましく、より好ましくは１５ｃｍ以上３０ｃｍ以下内側にあることが好ましい。
【００２８】
また本実施形態において側面板３１、３２の下部には、接地用ローラー３１７、３２７が付されていることが好ましい。このような構成とすることで、滑らかに側面板を開くことが可能となり、滑らかにゴミ収集箱を広げ、また、折り畳むことができるようになる。
【００２９】
また、本実施形態において、背面板には、側面板の開閉角度を制御する一対の開閉制御部材５１、５２が配置されていることが好ましい。このようにすることで不必要に側面板が開いてしまわないようにすることができる。なおこの開閉角度としては、９０度±１０度程度であることが好ましい。また一対の開閉制御部材の内側又は側面板の外側であって一対の開閉制御部材に当たる部分近傍の少なくともいずれかには、それぞれ磁石５１１、５２１、が配置されていることが好ましい。このようにすることで、一度開いた状態にすることで磁石の力によりその開いた状態を維持することができるといった効果がある。
【００３０】
次に、本実施形態に係るゴミ収集箱を広げる動作、折り畳む動作について説明する。まず使用者は、一対の側面板３１、３２を広げ、ゴミ収集箱の側面を形成する。そして、網２１を軸２２から引っ張り、側面板及び前面板により囲まれる領域の上に広げる。使用者は、ゴミを入れる際、この網を持ち上げ、ゴミを入れる。なお、網２１の縁には鎖２１１等の重りが配置されていることが好ましく、このようにすることでカラス等の小動物が持ち上げて中のゴミを散乱させてしまうおそれは少ない。なお網としては、防鳥ネットであることは好ましい一例である。
【００３１】
一方、ゴミ収集箱を折り畳む動作としては、まず、ハンドル２３を用いて軸２２を回転させ網２１を十分に回収する。次に、側面板を折り畳むことで収納が完了する。これにより、非常に容易に折り畳みが可能となる。なお本実施形態に係るゴミ収集箱は底部を有していないため、ゴミ袋からこぼれる小さなゴミが発生したとしても、ゴミ箱の中にとどまることなく、地面にそのまま残される。従って、使用後ゴミ箱を畳んだ後、道路を箒、ちりとり等で漏れなく掃除することができ、ゴミの取り残しを防止し清潔な状態を保つことができる。
【００３２】
なお、本実施形態において、網２１の縁には、錘が付されていることが好ましい。このようにすることで、側面板、前面板の外側に網を垂らし、その状態を安定的に維持することができるようになる。錘としては限定されるわけではないが、例えば鎖２４を用いることは好ましい一例である。このようにすると、軸を回して網を引き出す際、錘の重さにより自然に網を側面板及び前面板の上に広げることができるようになる。
【００３３】
以上の通り、本考案によると、より省スペースに折り畳みが可能で、より簡便に折り畳みができるゴミ収集箱を提供することができる。
【産業上の利用可能性】
【００３４】
本考案は、ゴミ収集箱として産業上の利用可能性がある。
【符号の説明】
【００３５】
１…ゴミ収集箱、２…背面板、３１・３２…側面板
【図１】
0003154167.tif 000003
【図２】
0003154167.tif 000004
【図３】
0003154167.tif 000005
【図４】
0003154167.tif 000006
【図５】
0003154167.tif 000007
【図６】
0003154167.tif 000008
【図７】
0003154167.tif 000009
【図８】
0003154167.tif 000010
【図９】
0003154167.tif 000011
【図１０】
0003154167.tif 000012
【図１１】
0003154167.tif 000013
【図１２】
0003154167.tif 000014
【図１３】
0003154167.tif 000015
【図１４】
0003154167.tif 000016